【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
光透過性フィルム層と、リリースライナと、印刷パターンとを含むアセンブリであって、該印刷パターンが基層を含み、該基層が、
（ｉ）有孔フィルム、
（ｉｉ）複数の細長いフィルム層領域へと切断された切断フィルム層、または
（ｉｉｉ）無孔透過性フィルムに付与されたマーキング材料を含み、
前記印刷パターンが前記フィルム層を複数の個別の基層領域および／または複数の透過性領域に細分し、前記基層が第１の色のデザイン画像化表面を含み、前記リリースライナが無孔材料を含み、前記リリースライナがリリース表面を含み、
前記無孔材料が、前記光透過性フィルム層を通して見ると第２の色を有し、該第２の色が、前記第１の色のグレートーンとは少なくとも１０％異なる該第２の色のグレートーンをもって前記第１の色と対比し、
前記第１の色が白色である、ことを特徴とするアセンブリ。
【請求項２】
前記光透過性フィルム層が有孔フィルムを含む、請求項１に記載のアセンブリ。
【請求項３】
前記光透過性フィルム層が切断フィルムを含む、請求項１に記載のアセンブリ。
【請求項４】
前記光透過性フィルム層が無孔透過性フィルムを含む、請求項１に記載のアセンブリ。
【請求項５】
前記第２の色が灰色である、請求項１に記載のアセンブリ。
【請求項６】
前記第２の色が、６０％〜８０％の範囲内のグレートーンパーセンテージを有する、請求項５に記載のアセンブリ。
【請求項７】
前記アセンブリが、前記光透過性フィルム層と前記リリースライナの間に接着剤層を備え、前記接着剤が感圧接着剤を含む、請求項１に記載のアセンブリ。
【請求項８】
前記第２の色が、前記第１の色のグレートーンとは少なくとも３０％異なる前記第２の色のグレートーンをもって前記第１の色と対比する、請求項１に記載のアセンブリ。
【請求項９】
前記無孔材料が、平均グレートーンパーセンテージが３０％を超える多色を含む、請求項１に記載のアセンブリ。
【請求項１０】
アセンブリを作製する方法であって、該アセンブリが、光透過性フィルム層と、リリースライナと、印刷パターンとを含み、該印刷パターンが基層を含み、該印刷パターンが該アセンブリを複数の個別の基層領域および／または複数の個別の透過性領域に細分し、該基層が第１の色のデザイン画像化表面を含む方法において、
（ｉ）フェースストックフィルム層と、該フェースストックフィルム層に着脱自在に取り付けられた初期リリースライナとを備える自己接着性アセンブリを提供するステップと、
（ｉｉ）前記印刷パターンの前記基層を、
（１）前記フェースストックフィルム層および前記初期リリースライナを通して前記自己接着性アセンブリに穴を開けて、前記基層を形成する有孔フェースストックフィルム層と、該有孔フェースストックフィルム層に着脱自在に取り付けられた有孔初期リリースライナとを形成し、また、前記第２の色の無孔材料を該有孔初期リリースライナに接着させて、該有孔初期リリースライナおよび該無孔材料が前記リリースライナを形成するステップ、
（２）前記フェースストックフィルム層および前記初期リリースライナを通して前記自己接着性アセンブリに穴を開けて、前記基層を形成する有孔フェースストックフィルム層と、該有孔フェースストックフィルム層に着脱自在に取り付けられた有孔初期リリースライナとを形成し、また、該有孔初期リリースライナを除去し且つ該有孔初期リリースライナを前記第２の色を有する前記リリースライナと交換するステップ、
（３）前記フェースストックフィルム層を前記フェースストックフィルム層の複数の細長い領域にキスカットし、交互の細長い領域を除去して前記基層を形成する複数の細長いフィルム領域を残し、前記初期リリースライナが前記第２の色を有し且つ前記リリースライナを形成する、ステップ、または
（４）前記印刷パターン内の前記基層を、透過性である前記フェースストックフィルム層上に付与するステップ
のうちの１つによって形成するステップとを含み、
前記リリースライナが、少なくとも１０％のグレートーン間隔をもって前記第１の色と対比する第２の色の無孔材料を含み、
前記第２の色が、前記光透過性フィルム層を通して見ることができ、また
前記第１の色が白色である、方法。
【請求項１１】
前記第２の色が灰色である、請求項１０に記載の方法。
【請求項１２】
前記第２の色が、６０％〜８０％の範囲内のグレートーンパーセンテージを有する、請求項１１に記載の方法。
【請求項１３】
前記自己接着性アセンブリが、前記フェースストックフィルム層と前記初期リリースライナの間に接着剤層を備え、前記接着剤が感圧接着剤を含む、請求項１０に記載の方法。
【請求項１４】
光透過性フィルム層と、リリースライナと、印刷パターンとを含む画像化されたアセンブリであって、該印刷パターンが基層を含み、該基層が、
（ｉ）有孔フィルム、
（ｉｉ）複数の細長いフィルム層領域へと切断された切断フィルム層、または
（ｉｉｉ）無孔透過性フィルムに付与されたマーキング材料を含み、
前記印刷パターンが前記フィルム層を複数の個別の基層領域および／または複数の透過性領域に細分し、前記基層が第１の色のデザイン画像化表面を含み、前記リリースライナが、第２の色を有する無孔材料を含み、該第２の色が、前記第１の色のグレートーンとは少なくとも１０％異なる該第２の色のグレートーンをもって前記第１の色と対比し、前記リリースライナがリリース表面を含み、デザインが、前記デザイン画像化表面に付与されて画像化された光透過性フィルム層を形成するデザイン色層を含み、
前記無孔材料が、前記光透過性フィルム層を通して見ることができ、また、前記第２の色、または前記デザイン色層によって修正された前記第２の色が、前記光透過性フィルム層を通して見ることができ、
前記第１の色が白色である、ことを特徴とする画像化されたアセンブリ。
【請求項１５】
前記光透過性フィルム層が有孔フィルムを含む、請求項１４に記載の画像化されたアセンブリ。
【請求項１６】
前記光透過性フィルム層が切断フィルムを含む、請求項１４に記載の画像化されたアセンブリ。
【請求項１７】
前記光透過性フィルム層が無孔透過性フィルムを含む、請求項１４に記載の画像化されたアセンブリ。
【請求項１８】
前記第２の色が灰色である、請求項１４に記載の画像化されたアセンブリ。
【請求項１９】
前記第２の色が、６０％〜８０％の範囲内のグレートーンパーセンテージを有する、請求項１８に記載の画像化されたアセンブリ。
【請求項２０】
前記アセンブリが、前記光透過性フィルム層と前記リリースライナの間に接着剤層を備え、前記接着剤が感圧接着剤を含む、請求項１４に記載の画像化されたアセンブリ。
【請求項２１】
請求項１０に記載された方法であって、前記アセンブリがデザイン色層を含むデザインをさらに含み、
該方法が、（ｉｉｉ）前記デザイン色層を含む前記デザインを与えて、画像化された光透過性フィルム層を形成するステップをさらに含み、
前記無孔材料が前記光透過性フィルム層を通して見ることができ、前記無孔材料が画像化されておらず、または前記第２の色が、通常半透明の１つもしくは複数のデザイン色層と組み合わせて且つ任意選択により１つもしくは複数のデザイン色層によって修正されて見ることができ、また、前記デザインが、前記光透過性フィルム層の前記透過性部分において、前記現れた第２の色および／または修正された第２の色と組み合わせて見ることができる、方法。
【請求項２２】
（ｉ）前記第１の色の前記デザイン画像化表面にデザインを付与して、画像化された光透過性フィルム層を形成するステップと、
（ｉｉ）少なくとも１０％のグレートーン間隔をもって前記第１の色と対比する前記第２の色の前記リリースライナを除去するステップと、
（ｉｉｉ）前記画像化された光透過性フィルム層を透過性材料に付与するステップとをさらに含む、請求項１０に記載の方法。
【請求項２３】
前記デザインが、前記印刷パターンの要素とは視覚的に独立しているように知覚され、したがって、前記アセンブリのうちの前記デザインが正常に見える側に隣接する観察者が、前記印刷パターンの個別の要素および／または相互接続された要素を前記観察者の目によって分解できなくなるまで、前記アセンブリから直角の方向に前記側から遠ざかったとき、前記デザインがはっきりと知覚できるままである、請求項２１に記載の方法。
【請求項２４】
前記デザインが、前記印刷パターンの要素とは視覚的に独立しているように知覚され、したがって、前記画像化されたアセンブリのうちの前記デザインが正常に見える側に隣接する観察者が、前記印刷パターンの個別の要素および／または相互接続された要素を前記観察者の目によって分解できなくなるまで、前記画像化されたアセンブリから直角の方向に前記側から遠ざかったとき、前記デザインがはっきりと知覚できるままである、請求項１４に記載のアセンブリ。